(57)【要約】【課題】  画面を構成する複数の表示要素の一部又は全体について所定のテーマによる統一性を維持しつつ、その複数の表示要素の表示に用いる要素データを容易に更新できる移動体通信端末を提供する。【解決手段】  表示手段の画面を構成する所定のテーマで統一された複数の表示要素それぞれの表示に用いる複数の要素データを含むベースファイルを記憶する記憶手段を備える。ベースファイルから得られた複数の要素データからなる設定データ群に基づいて、表示手段の画面を構成する各表示要素を表示するように表示手段を制御する。また、ベースファイルに含まれる要素データの更新処理が指示されたとき、ネットワークを介してサーバにアクセスし、前記設定データ群に一括して適用される更新対象のすべての要素データを含む更新ファイルをサーバから受信して保存する。【選択図】  図７
2008205665.tif 000002
【特許請求の範囲】
【請求項１】
画像を表示する表示手段を備えた移動体通信端末であって、
前記表示手段の画面を構成する所定のテーマで統一された複数の表示要素それぞれの表示に用いる複数の要素データを含むベースファイルを記憶する記憶手段と、
前記記憶手段に記憶されている前記ベースファイルから得られた複数の要素データからなる設定データ群に基づいて、前記表示手段の画面を構成する各表示要素を表示するように前記表示手段を制御する制御手段と、
前記記憶手段に記憶されている前記ベースファイルに含まれる要素データの更新処理が指示されたとき、ネットワークを介してサーバにアクセスし、前記設定データ群に一括して設定される更新対象のすべての要素データを含む更新ファイルを該サーバから受信して前記記憶手段に保存するデータ更新手段と、
を備えたことを特徴とする移動体通信端末。
【請求項２】
請求項１の移動体通信端末において、
前記記憶手段は、互いに異なる複数のテーマごとに前記ベースファイルを記憶し、
前記制御手段は、前記複数のベースファイルから選択された一つのベースファイルから得られたすべての要素データを、前記設定データ群に設定し、
前記データ更新手段は、前記複数のベースファイルから選択された更新対象の一つのベースファイルについて、前記更新ファイルの受信及び保存を実行することを特徴とする移動体通信端末。
【請求項３】
請求項１又は２の移動体通信端末において、
前記制御手段は、更新ファイルの適用が指示されたとき、前記サーバから受信して保存した適用対象の更新ファイルから得られる要素データを、前記設定データ群に設定することを特徴とする移動体通信端末。
【請求項４】
請求項１又は２の移動体通信端末において、
前記制御手段は、予め設定した所定タイミングに、前記適用対象の更新ファイルとテーマが同じ他の更新ファイルの要素データが、前記設定データ群に既に設定されているか否かを判断し、前記他の更新ファイルの要素データが設定済みと判断した場合には、前記設定データ群の要素データを前記ベースファイルの要素データに一旦戻した後、前記適用対象の更新ファイルから得られたすべての要素データを前記設定データ群に設定することを特徴とする移動体通信端末。
【請求項５】
請求項１又は２の移動体通信端末において、
前記制御手段は、予め設定した所定タイミングに、前記サーバから受信して保存した適用対象の更新ファイルとはテーマが異なるベースファイル又はその更新ファイルの要素データが、前記設定データ群に既に設定されているか否かを判断し、前記テーマが異なるベースファイル又はその更新ファイルの要素データが設定済みと判断した場合には、前記設定データ群の要素データを前記適用対象の更新ファイルとテーマが同じベースファイルの要素データに一旦戻した後、前記適用対象の更新ファイルに含まれるすべての要素データを前記設定データ群に設定することを特徴とする移動体通信端末。
【請求項６】
請求項１乃至５のいずれかの移動体通信端末において、
前記制御手段は、予め設定した所定タイミングに、前記適用中のベースファイルの使用期限が到来しており且つそのベースファイルとテーマが同じ更新ファイルの要素データが前記設定データ群に設定されているか否かを判断し、該更新ファイルが設定されていると判断した場合には、提供中の更新ファイル及びベースファイルそれぞれの要素データの前記設定データ群への設定を解除することを特徴とする移動体通信端末。
【請求項７】
請求項１乃至５のいずれかの移動体通信端末において、
前記制御手段は、前記ベースファイルの削除が指示されたとき、その削除対象のベースファイルとテーマが同じ更新ファイルを検索し、その更新ファイルが前記記憶手段に記憶されている場合には、その更新ファイルを削除した後、前記削除対象のベースファイルを削除することを特徴とする移動体通信端末。
【請求項８】
請求項１乃至７のいずれかの移動体通信端末において、音及び振動を出力する出力手段を備え、前記ベースファイル又は前記更新ファイルは、そのファイルのテーマで統一された効果音、音声、メロディ、振動パターンの少なくとも一つの出力に用いる要素データを含み、前記制御手段は、前記表示手段の制御に加え、前記設定データ群に基づいて前記出力を行うように前記出力手段を制御することを特徴とする移動体通信端末。
【発明の詳細な説明】
【技術分野】
【０００１】
本発明は、画像を表示可能な携帯電話機等の移動体通信端末に関するものである。
【背景技術】
【０００２】
従来、この種の移動体通信端末として、所定のテーマで統一されたアイコン、壁紙等の複数の表示要素それぞれの表示に用いる複数の要素データを含むアーカイブファイルをサーバから受信して保存し、そのアーカイブファイルから復元した要素データに基づいて上記テーマで統一されたアイコン等の複数の表示要素を画面に表示する携帯電話が知られている（例えば、特許文献１参照）。この携帯電話では、例えば、ユーザの好みに合わせて特定のアニメ等のキャラクターをテーマとして統一されたアイコン、壁紙等の表示要素を表示するように、待受画面の表示を設定することができる。
【特許文献１】特開２００５−００５９０１号公報
【発明の開示】
【発明が解決しようとする課題】
【０００３】
上記従来の携帯電話において、所定のテーマで統一されたアイコン、壁紙等の複数の表示要素を表示するように画面の表示を設定した後、その画面を構成する表示要素の一部又はすべてを変更したい場合がある。この変更のために、変更対象の表示要素ごとにサーバから要素データをダウンロードしようとすると、携帯電話の利用者にとって煩雑な作業が必要となる。
一方、上記画面を構成する表示要素の要素データを提供するコンテンツ提供者にとっては、上記所定のテーマからずれた表示要素を利用者が画面に設定できるようにすると、上記テーマによる統一性が損われ、コンテンツ提供者側の意図からずれたものになってしまう。
【０００４】
本発明は以上の問題点に鑑みなされたものであり、その目的は、画面を構成する複数の表示要素の一部又は全体について所定のテーマによる統一性を維持しつつ、その複数の表示要素の表示に用いる要素データを容易に更新できる移動体通信端末を提供することである。
【課題を解決するための手段】
【０００５】
本発明に係る移動体通信端末は、画像を表示する表示手段を備えた移動体通信端末であって、前記表示手段の画面を構成する所定のテーマで統一された複数の表示要素それぞれの表示に用いる複数の要素データを含むベースファイルを記憶する記憶手段と、前記記憶手段に記憶されている前記ベースファイルから得られた複数の要素データからなる設定データ群に基づいて、前記表示手段の画面を構成する各表示要素を表示するように前記表示手段を制御する制御手段と、前記記憶手段に記憶されている前記ベースファイルに含まれる要素データの更新処理が指示されたとき、ネットワークを介してサーバにアクセスし、前記設定データ群に一括して設定される更新対象のすべての要素データを含む更新ファイルを該サーバから受信して前記記憶手段に保存するデータ更新手段と、を備える。
この移動体通信端末では、ベースファイルに含まれる要素データの更新処理が指示されたとき、ネットワークを介してアクセスしたサーバから、更新対象の要素データを含む更新ファイルが受信されて記憶手段に保存される。このサーバから受信した更新ファイルには、当初のベースファイルから得られた複数の要素データからなる設定データ群に適用される更新対象のすべての要素データが含まれるため、この更新ファイルから得られる更新対象の要素データを上記設定データ群に設定することにより、複数の表示要素の表示に用いる要素データを容易に更新できる。しかも、上記更新ファイルから得られる更新対象の要素データは、上記設定データ群に一括して設定するものであるため、各更新対象の要素データの一部が上記設定データ群に適用されることによって画面の表示要素の一部又は全体が所定のテーマから外れて統一性を損ってしまうことがない。従って、画面を構成する複数の表示要素の一部又は全体について所定のテーマによる統一性を維持しつつ、その複数の表示要素の表示に用いる要素データを容易に更新できる。
【０００６】
前記移動体通信端末において、前記記憶手段は、互いに異なる複数のテーマごとに前記ベースファイルを記憶し、前記制御手段は、前記複数のベースファイルから選択された一つのベースファイルから得られたすべての要素データを、前記設定データ群に設定し、前記データ更新手段は、前記複数のベースファイルから選択された更新対象の一つのベースファイルについて、前記更新ファイルの受信及び保存を実行してもよい。
この場合は、テーマが互いに異なる複数のベースファイルがあっても、その複数のベースファイルから選択されたベースファイルについて、上記複数の表示要素の表示に用いる要素データを容易に更新できる。
【０００７】
また、前記移動体通信端末において、前記制御手段は、更新ファイルの適用が指示されたとき、前記サーバから受信して保存した適用対象の更新ファイルから得られる要素データを、前記設定データ群に設定してもよい。
この場合は、更新ファイルの適用が指示されたとき、その適用対象の更新ファイルから得られる要素データを、画面を構成する各表示要素の表示に用いる設定データ群に設定するので、利用者の所望のタイミングで、画面を構成する各表示要素を変更できる。
【０００８】
また、前記移動体通信端末において、前記制御手段は、予め設定した所定タイミングに、前記適用対象の更新ファイルとテーマが同じ他の更新ファイルの要素データが、前記設定データ群に既に設定されているか否かを判断し、前記他の更新ファイルの要素データが設定済みと判断した場合には、前記設定データ群の要素データを前記ベースファイルの要素データに一旦戻した後、前記適用対象の更新ファイルから得られたすべての要素データを前記設定データ群に設定してもよい。
この場合は、所定タイミングに、上記サーバから受信した更新ファイルが適用されるとき、その適用対象の更新ファイルとテーマが同じ他の更新ファイルの要素データが設定データ群に既に設定されていても、その更新ファイルが異なる表示要素の要素データが混在することなく、指定の更新ファイルの要素データを設定データ群に設定することができる。なお、上記タイミングは、更新ファイルの適用が利用者によって指示されたときでもよいし、前記表示手段の画面に待ち受け初期画面を表示するタイミング等、移動体通信端末の特定の動作タイミングであってもよい。
【０００９】
また、前記移動体通信端末において、前記制御手段は、予め設定した所定タイミングに、前記サーバから受信して保存した適用対象の更新ファイルとはテーマが異なるベースファイル又はその更新ファイルの要素データが、前記設定データ群に既に設定されているか否かを判断し、前記テーマが異なるベースファイル又はその更新ファイルの要素データが設定済みと判断した場合には、前記設定データ群の要素データを前記適用対象の更新ファイルとテーマが同じベースファイルの要素データに一旦戻した後、前記適用対象の更新ファイルに含まれるすべての要素データを前記設定データ群に設定してもよい。
この場合は、所定タイミングに、上記サーバから受信した更新ファイルが適用されるとき、その適用対象の更新ファイルとテーマが異なるベースファイルやその更新ファイルの要素データが設定データ群に既に設定されていても、テーマが異なる表示要素の要素データが混在することなく、指定の更新ファイルの要素データを設定データ群に設定することができる。なお、上記タイミングは、更新ファイルの適用が利用者によって指示されたときでもよいし、前記表示手段の画面に待ち受け初期画面を表示するタイミング等、移動体通信端末の特定の動作タイミングであってもよい。
【００１０】
また、前記移動体通信端末において、前記制御手段は、予め設定した所定タイミングに、前記適用中のベースファイルの使用期限が到来しており且つそのベースファイルとテーマが同じ更新ファイルの要素データが前記設定データ群に設定されているか否かを判断し、該更新ファイルが設定されていると判断した場合には、提供中の更新ファイル及びベースファイルそれぞれの要素データの前記設定データ群への設定を解除してもよい。
この場合は、使用期限が到来しているベースファイルの適用を確実に解除できるとともに、そのベースファイルベースファイルとテーマが同じ更新ファイルがある場合には、その更新ファイルの適用も併せて解除できる。なお、上記ベースファイルの使用期限のチェックは、前記表示手段の画面に待ち受け初期画面を表示するタイミング等、移動体通信端末の特定の動作タイミングであってもよいし、そのチェックを利用者が指示したタイミングでもよい。
【００１１】
また、前記移動体通信端末において、前記制御手段は、前記ベースファイルの削除が指示されたとき、その削除対象のベースファイルとテーマが同じ更新ファイルを検索し、その更新ファイルが前記記憶手段に記憶されている場合には、その更新ファイルを削除した後、前記削除対象のベースファイルを削除してもよい。
この場合には、ベースファイルが削除されたにもかかわらず、そのベースファイルと同じテーマの不要な更新ファイルが記憶手段に残ってしまうのを防止できる。
【００１２】
また、前記移動体通信端末において、音及び振動を出力する出力手段を備え、前記ベースファイル又は前記更新ファイルは、そのファイルのテーマで統一された効果音、音声、メロディ、振動パターンの少なくとも一つの出力に用いる要素データを含み、前記制御手段は、前記表示手段の制御に加え、前記設定データ群に基づいて前記出力を行うように前記出力手段を制御してもよい。
この場合は、画面を構成する複数の表示要素だけでなく、効果音、音声、メロディ、振動パターンの一部又は全体についても、所定のテーマによる統一性を維持しつつ容易に更新できる。
【発明の効果】
【００１３】
本発明によれば、画面を構成する複数の表示要素の一部又は全体について所定のテーマによる統一性を維持しつつ、その複数の表示要素の表示に用いる要素データを容易に更新できるという効果がある。
【発明を実施するための最良の形態】
【００１４】
以下、本発明を移動体通信端末としての携帯電話機に適用した実施形態について説明する。
図１は本実施形態に係る携帯電話機を用いた通話、ＷＥＢアクセス及びメール送受信を行うことができる通信システムの一例を示す概略構成図である。この通信システムは、携帯電話機１０と、移動体通信事業者によって管理されている移動体通信ネットワークとしての携帯電話通信網２０とを備えている。携帯電話通信網２０は、基地局２０１や図示しない交換機（回線交換機、パケット交換機）等を備え、図示しないゲートウェイサーバを介してインターネット３０に接続されている。また、携帯電話通信網２０には、電子メール、ショートメッセージサービス（ＳＭＳ）等の携帯電話用のメールを処理する各種メールサーバ２１が接続されている。インターネット３０には、電子メールを処理するメールサーバ３１及びＷＥＢサービスを提供するＷＥＢサーバ３２が接続されている。メールサーバ２１，３１を介して、携帯電話機１０は、各種通信端末との間で、電子メールやＳＭＳメールを送受信することができる。また、携帯電話機１０からＨＴＴＰ等の所定の通信プロトコルでインターネット３０上のＷＥＢサーバ３２にアクセスし、所望のＷＥＢページの情報を受信したり、データベース（以下「ＤＢ」という。）３３に格納されている各種コンテンツのファイルをダウンロードしたりすることができる。図１に示すように、携帯電話通信網２０側にＷＥＢサーバ２２及びＤＢ２３を設けてもよい。
【００１５】
図２は、ＤＢ３３に格納されているファイルの一例を示す説明図である。ＤＢ３３には、各携帯電話機で使用可能なテーマ統一環境設定用に予め設定した複数のテーマごとに作成されたベースファイル５０及びその更新ファイル６０が格納されている。
ベースファイル５０は、所定のテーマで統一するように作成された、壁紙、ピクト（例えば電界強度や電池残量等を示すアイコン）、メニュー、着信画像等の表示要素それぞれの表示に用いる複数の要素データ（画像ファイル）の少なくとも一つと、その要素データに関する情報が書き込まれた要素データ定義ファイルとを、一つのファイルに合体して圧縮処理したアーカイブファイル（新規のＳｋｉｎ）である。ベースファイル５０は、着信通知等に使用可能な効果音、音声、メロディ、振動パターンの少なくとも一つの出力に用いる要素データ（音ファイル）を含んでもよい。図２に例示するベースファイル５０は、要素データ定義ファイル５００のほか、要素データとして、壁紙の画像ファイル５０１とピクトの画像ファイル５０２とメニューの画像ファイル５０３と着信画像の画像ファイル５０４と着信音の音ファイル５０５を含んでいる。
【００１６】
更新ファイル６０は、テーマが共通するベースファイルの要素データの少なくとも一つの更新に用いられる更新対象の要素データ（画像ファイル）と、その更新対象の要素データに関する情報が書き込まれた要素データ定義ファイルとを、一つのファイルに合体して圧縮処理したアーカイブファイルである。更新ファイル６０は、更新対象の要素データとして音ファイルを含んでもよい。図２に例示する更新ファイル６０は、要素データ定義ファイル６００のほか、要素データとして、それぞれ更新対象の新しい壁紙の画像ファイル６０１及びピクトの画像ファイル６０２と追加のメール受信画像の画像ファイル６０６を含んでいる。
【００１７】
要素データ定義ファイル５００，６００はそれぞれ、当該要素データ定義ファイルが属しているベースファイル５０又は更新ファイル６０に関する情報を含む情報パートと、カテゴリ別に個々の要素データ（ファイル）のファイル名等を定義する定義パートとを含む。
【００１８】
上記情報パートは、各ファイルに設定されたコンテンツのテーマを識別するための識別情報としてのコンテンツＩＤを含む。また、情報パートは、例えば、当該アーカイブファイルの名前、当該アーカイブファイルの提供者についての情報、当該アーカイブファイルを用いることができる携帯電話機１０の機種についての情報等を含んでもよい。この情報パートの内容は、当該アーカイブファイルのダウンロード時に参照されるダウンロードディスクリプタと対応するように予め設定されている。
【００１９】
また、上記定義パートには、例えば、ピクト（電界強度、電池残量）、壁紙等の基本的なＵＩ（ユーザインターフェース）についての要素データが属するディレクトリ、ファイル名等の定義（基本ＵＩ）、ＷＥＢブラウザーが用いる要素データが属するディレクトリ、ファイル名等の定義（ブラウザー用定義）、メーラーが用いる要素データが属するディレクトリ、ファイル名等の定義（メーラー用定義）等を含む。なお、各ファイルの用途（ピクト及び壁紙等の表示用、ブラウザー用、メーラー用等の用途）を識別する方法としては、上記定義パートの情報を参照して識別する方法のほか、各ファイルが属しているディレクトリで識別する方法、各ファイルのヘッダ部やプロパティ記述部に記述されている識別子で識別する方法を採用してもよい。制御部１２０は、各ファイルの種別に応じて、そのファイルの画像を所定のタイミングで所定の領域（ピクト領域、壁紙領域など）に表示するように画面表示を制御する。
【００２０】
図３は本発明の実施形態に係る携帯電話機の概略構成の一例を示すブロック図である。図４は同携帯電話機の外観構成の一例を示す正面図である。本実施形態の携帯電話機１０は、制御手段としての主制御部１２０と、記憶手段としての内部メモリ１２１と、携帯電話通信網２０を介して通信を行う通信手段としての無線通信部１２２及びアンテナ１１２と、表示手段としての表示部１２５と、操作手段としてのキー操作部１２６と、時計部１２７とを備えている。
【００２１】
上記主制御部１２０は、例えばＣＰＵ、キャッシュメモリ、ＲＯＭ、システムバス等で構成され、所定のＯＳや制御プログラムが実行されることにより、内部メモリ１２１や無線通信部１２２等の各部との間でデータの送受信を行ったり、表示部１２５等の各部を制御したりする。この主制御部１２０には、音声信号の符号化／復号化などの処理を行う音信号処理部１２３を介して音入力手段としてのマイク１０８及び音出力手段としてのスピーカ１０９が接続されている。また、主制御部１２０には、表示制御手段としての表示制御部１２４を介して表示部１２５が接続されている。
【００２２】
更に、主制御部１２０には、各種処理を指示したり各種データを入力したりするときにユーザによって操作されるキー操作部１２６及び時計部１２７も接続されている。
【００２３】
また、上記主制御部１２０は、携帯電話機１０のネイティブ側のアプリケーションプログラム（以下「アプリケーション」という。）として、ダウンロードファイル処理アプリソフト１３０、ＷＥＢブラウザーソフト１３１、図示しないメーラソフト等が組み込まれている。ダウンロードファイル処理ソフト１３０は、サーバからダウンロードしたベースファイル及び更新ファイル等のアーカイブファイルを展開する処理や、展開処理後の要素データである画像ファイルや音ファイル等の各種ファイルを内部メモリ１２１に保存する処理、各ベースファイル及び更新ファイルのアーカイブファイルについて同一のテーマ（コンテンツＩＤ）のファイルか否かの判断等を行う処理を行う。また、このダウンロードファイル処理ソフト１３０が起動された主制御部１２０は、内部メモリ１２１に記憶されているベースファイルに含まれる要素データの更新処理が指示されたとき、ＷＥＢブラウザーソフト１３１を起動してネットワークを介してサーバにアクセスし、画面制御や音出力の制御に用いられる設定データ群に一括して設定される更新対象のすべての要素データを含む更新ファイルを、サーバから受信して内部メモリ１２１に保存するデータ更新手段としても機能する。すなわち、上記ＷＥＢブラウザーソフト１３１は、主制御部１２０で実行されることにより、ＷＥＢサーバ３２等のサーバからＷＥＢページのデータ（例えば、ＨＴＭＬファイル）を取得して表示部１２５に表示する機能のほか、ＷＥＢサーバ３２等のサーバから上記テーマ統一環境設定用のベースファイルや更新ファイルを受信して所定の記憶領域に保存する手段としても機能する。
【００２４】
上記通信手段としての無線通信部１２２及びアンテナ１１２は、メールを送受信したり、ＷＥＢページやファイルのダウンロードなどのＷＥＢサービスを利用したりするときに、携帯電話通信網２０の基地局と無線通信する。
【００２５】
上記内部メモリ１２１は、例えばＲＡＭやＲＯＭなどのメモリで構成され、主制御部１２０で実行する制御プログラムや各種データを記憶するものである。内部メモリ１２１は、ＷＥＢページやメールのデータ等の受信情報を記憶する手段としてだけでなく、上記ベースファイル及び更新ファイルを記憶する記憶手段や、そのベースファイル及び更新ファイルを展開して得られた要素データ（画像ファイル、音ファイル）からなる設定ファイル群を記憶する記憶手段としても機能する。なお、記憶手段としては、上記内部メモリ１２１ではなく、携帯電話機本体に着脱可能なメモリーカード、ＩＣカード等の記憶媒体を用いてもよい。
【００２６】
図５は、内部メモリ１２１に設定された記憶領域の一例を示す説明図である。内部メモリ１２１には、上記ベースファイル及び更新ファイルを記憶するアーカイブファイル記憶領域１２１ａと、ベースファイルや更新ファイルを展開処理して得られた、壁紙、ピクト、メニュー、着信画像、着信音等の要素データ（画像ファイル、音ファイル）からなる制御用の設定ファイル群が格納される要素データ記憶領域１２１ｂと、ファイル処理用作業データが格納される作業データ記憶領域１２１ｃとが設けられている。図５に示す要素データ格納領域１２１ｂのうち、一点鎖線で囲んだ部分はベースファイルから展開処理して得られた要素データ（ファイル）からなる設定ファイル群であり、二点鎖線で囲んだ部分は更新ファイルから展開処理して得られた要素データ（ファイル）で上書き又は追加された設定ファイル群である。上記アーカイブファイル記憶領域１２１ａに記憶されたベースファイル及び更新ファイルは、データフォルダーのリスト上に互いに識別可能なタイトル及び／又はサムネイルで表示される。また、主制御部１２０は、上記要素データ記憶領域１２１ｂに格納されている設定ファイル群を構成する各種要素データ（画像ファイル、音ファイル）に基づいて画面の描画データや音出力制御信号等を生成し、表示制御部１２４を介して表示部１２５の画面に、適用中のテーマ統一環境設定の表示要素である各種画像を表示したり、音信号処理部１２３を介してスピーカ１０９から当該テーマ統一環境設定に対応した各種音を出力したりする。
【００２７】
上記表示制御部１２４は、主制御部１２０から送られてきた描画データに基づいて表示部１２５に画像を表示するように制御する。表示部１２５は、液晶パネル等からなるディスプレイ１１０を用いて構成され、内部メモリ１２１の要素データ格納領域１２１ｂ等に保存されている画像データ等に基づいて各種画像が表示される。
【００２８】
上記スピーカ１０９は、音信号処理部１２３でデジタル信号から変換されたアナログ信号が入力され、通話中の音声を出力したり、メールの着信音、電話の呼び出し音、音楽、アラーム等を出力したりする。このスピーカ１０９及び音信号処理部１２３からなる音発生手段は、受信したメールに添付された添付ファイルを用いて効果音や音楽（楽曲、メロディ）を再生して出力するように、主制御部１２０で制御することができる。
【００２９】
なお、上記スピーカ１０９は、図４に示すように通話中の音声を聞くための受話器用スピーカ（レシーバ）１０９ａと、着信音や音楽などを出力する外部出力用スピーカ１０９ｂとを別々に設けて構成してもいいし、これらの受話器用スピーカ及び外部出力用スピーカを兼用するように一つのスピーカで構成してもよい。
【００３０】
上記キー操作部１２６は、データ入力キー（テンキー、＊キー、＃キー）１０３、通話開始キー１０４、終話キー１０５、スクロールキー１０６、多機能キー１０７等で構成され、ユーザが通話開始、終話、メニュー選択、表示モードの切り換え等を指示したり情報を入力したりするときに用いられる。また、このキー操作部１２６は、ユーザによって操作されることにより、上記ベースファイル及び更新ファイルのダウンロードを指示したり、そのベースファイルから得られた要素データを制御用の設定ファイル群に設定する処理を指示したり、上記更新ファイルから得られた更新対象の要素データを設定ファイル群に一括して設定する処理（上書き・追加処理）を指示したりする指示手段としても機能する。
【００３１】
上記マイク１０８は、ユーザの音声を電気信号（アナログ信号）に変換する。マイク１０８から出力される音声の電気信号（アナログ信号）は、音信号処理部１２３に入力され、デジタル信号に変換される。
【００３２】
上記時計部１２７は、ＲＴＣ（リアルタイムクロック）等を用いて構成され、現在時刻データを出力する手段として機能する。時計部１２７から出力される現在時刻データは、液晶ディスプレイ（ＬＣＤ）１１０からなる表示部１２５の日時情報の表示に用いたり、スケジューラのアラーム制御に用いたりすることができる。
【００３３】
図６は、上記構成の携帯電話機１０においてユーザが希望するテーマ統一環境設定を新規に設定するときの処理の一例を示すフローチャートである。
携帯電話機１０の待受画面の表示を、特定のキャラクター等に関連した所望のテーマで統一されたテーマ統一環境設定の表示に変更したい場合には、まず、ユーザが携帯電話機１０を操作することにより、ＷＥＢブラウザーを起動し（Ｓ１）、上記テーマ統一環境設定のコンテンツを提供しているコンテンツダウンロードサイトであるＷＥＢサーバ３２のアドレスを選択してアクセスし、提供中のテーマ統一環境設定のベースファイル（アーカイブファイル）のリストを要求するＨＴＴＰ要求を送信する（Ｓ２，Ｓ３）。ＷＥＢサーバ３２は、この要求に応答するＨＴＴＰ応答として、リンク先情報を含む複数のベースファイルのリスト表示データを、携帯電話機１０に送信する。携帯電話機１０のＷＥＢブラウザーは、ＷＥＢサーバ３２から受信したＨＴＴＰ応答に基づいて、テーマ統一環境設定のベースファイルのリストを表示部１２５の画面に表示する（Ｓ４）。次に、ユーザがベースファイルのリストからダウンロードする所望のベースファイルを選択すると（Ｓ５）、ＷＥＢブラウザーは、ＷＥＢサーバ３２にユーザが選択したベースファイルを要求するＨＴＴＰ要求を送信するとともに、ダウンロード中である旨のメッセージ（ＤＬ中メッセージ）を表示部１２５に表示させる（Ｓ６）。
【００３４】
ここで、上記ユーザが選択したベースファイルのダウンロードは、例えば、移動体通信端末によるＷＥＢアプリケーションの技術標準化を行っているＯＭＡ（Open Mobile Alliance）で規定されている使用（例えば、"http://www.openmobilealliance.org/",OMA-Download-OTA-v1_0"Generic Content Download Over The Air"参照）の仕様に準拠して次のような手順で行ってもよい。すなわち、ＷＥＢサーバ３２は、ベースファイルのＨＴＴＰ要求を受信すると、要求されたベースファイルに対応するダウンロードディスクリプタを、携帯電話機１０のＷＥＢブラウザーに供給する。ダウンロードディスクリプタが供給されると、ＷＥＢブラウザーは、ＤＬ確認画面を表示させて、ユーザにダウンロードの確認を行い、ダウンロードスクリプタをダウンロードエージェントに供給する。ユーザがダウンロードを指示すると、ＷＥＢサーバ３２にベースファイルの送信を要求し、ダウンロード中である旨のメッセージ（ＤＬ中メッセージ）を表示させる（Ｓ６）。なお、後述の更新ファイルのダウンロードについても、上記ＯＭＡ（Open Mobile Alliance）で規定されている仕様に準拠した手順で行ってもよい。
【００３５】
携帯電話機１０では、ベースファイルのダウンロードが完了し、ダウンロードしたベースファイルをアーカイブファイル格納領域１２１ａに格納すると、ダウンロードエージェントがＷＥＢブラウザーにその旨を通知する（Ｓ７）。ＷＥＢブラウザーは、所定の確認メッセージを表示し、ユーザにダウンロードしたベースファイルを要素データに展開して上記制御用の要素データ群に設定するか否かを確認する（Ｓ８）。ユーザがダウンロードしたベースファイルの適用を指示すると（Ｓ８でＹｅｓ）、ＷＥＢブラウザーはベースファイルの適用中である旨のメッセージを表示させるとともに、アーカイブファイル格納領域１２１ａに格納されているベースファイルの要素データ（画像ファイル、音ファイル）を要素データ格納領域１２１ｂに制御用の設定データ群として展開させる（Ｓ９）。この展開が終了した要素データが制御用の設定データ群に設定されると、表示制御部１２４は所望のテーマ統一環境設定の新たな要素データに応じた表示画像の画像データを生成し得るようになり、音信号処理部１２３は新たな要素データに応じた着信音・着信メロディの音声データを生成し得るようになる（Ｓ１０）。
【００３６】
なお、上記ＷＥＢサーバ３２からダウンロードしたベースファイルを適用する際に、コンテンツＩＤが異なる他のテーマ統一環境設定のベースファイルが既に適用されている場合には、まず、その適用中のベースファイルの要素ファイルを上記要素データ格納領域１２１ｂから一括削除することにより、そのベースファイルの適用を解除し、一旦初期設定に戻す。その後、上記ＷＥＢサーバ３２からダウンロードしたベースファイルを上記要素データ格納領域１２１ｂに制御用の設定データ群として展開することにより、その新しいベースファイルを適用する。
【００３７】
図７は、上記構成の携帯電話機１０において更新ファイルを適用してテーマ統一環境設定を更新するときの処理の一例を示すフローチャートである。なお、更新ファイルのダウンロードについては、上記図６で示したベースファイルの場合と同様に行うことができるので、説明を省略する。
【００３８】
ユーザが携帯電話機１０を操作することにより、ＷＥＢサーバ３２からダウンロードした更新ファイルの適用を指示する（Ｓ１）と、まず、制御部１２０は、その適用対象の更新ファイルとコンテンツＩＤが同じベースファイルが適用されているか否かを判断する（Ｓ２）。
【００３９】
ここで、同一コンテンツＩＤのベースファイルが適用されていないと判断した場合に（Ｓ２でＮｏ）は、テーマ統一環境設定を切り換えるか否かをユーザに確認するための画像を表示する（Ｓ２）。すなわち、上記更新ファイルとコンテンツＩＤが同一のベースファイルを検索することと、そのベースユーザが存在する場合にはベースファイルの適用も行うことを、ユーザに確認する。ユーザがテーマ統一環境設定の切り換えを望まない場合（Ｓ２でＮｏ）は、そのまま終了する。ユーザがテーマ統一環境設定の切り換えを望む場合（Ｓ２でＹｅｓ）は、上記内部メモリ１２１のアーカイブファイル記憶領域１２１ａについて、上記更新ファイルとコンテンツＩＤが同一のベースファイルを検索する（Ｓ３）。アーカイブファイル記憶領域がメモリーカードなどの外部記憶媒体に設定されている場合には、その外部記憶媒体についても検索する。同一コンテンツＩＤのベースファイルが存在しない場合（Ｓ４でＮｏ）は、そのまま終了する。同一コンテンツＩＤのベースファイルが存在する場合（Ｓ４でＹｅｓ）は、現在適用されているコンテンツＩＤが異なるベースファイルの適用を解除し（Ｓ５）、上記検索で見つかった同一コンテンツＩＤのベースファイルを適用する（Ｓ６）。その後、上記ＷＥＢサーバ３２から新規にダウンロードした更新ファイルを適用する（Ｓ７）。
【００４０】
一方、上記ステップＳ２で、同一コンテンツＩＤのベースファイルが適用されていると判断した場合に（Ｓ２でＹｅｓ）は、さらに、上記ＷＥＢサーバ３２から新規にダウンロードした更新ファイル以外の、同一コンテンツＩＤの他の更新ファイルが適用されているか否かを判断する（Ｓ８）。同一コンテンツＩＤの他の更新ファイルが適用されていると判断した場合（Ｓ８でＹｅｓ）は、その適用中の更新ファイルの適用を解除する。すなわち、同一コンテンツＩＤのベースファイルのみが適用された状態に戻す。この後、上記ＷＥＢサーバ３２から新規にダウンロードした更新ファイルを適用する（Ｓ７）。一方、同一コンテンツＩＤの他の更新ファイルが適用されていないと判断した場合（Ｓ８でＮｏ）、すなわち、同一コンテンツＩＤのベースファイルのみが適用されていると判断した場合は、そのままの状態で、上記ＷＥＢサーバ３２から新規にダウンロードした更新ファイルを適用する（Ｓ７）。
【００４１】
上記構成の携帯電話機１０において上記テーマ統一環境設定のベースファイル又は更新ファイルの適用をそれぞれ解除する場合は次のように行う。ベースファイルの適用を解除する場合は、更新ファイルが適用されているかどうかにかかわらず、上記要素データ記憶領域に設定されているすべての項目の要素データ（画像ファイル、音ファイル）を、テーマ統一環境設定が設定されていない初期設定の状態に戻す。一方、更新ファイルの適用を解除する場合は、その更新ファイルの適用のみを解除し、ベースファイルの適用はそのまま維持する。但し、ベースファイルの適用状態に戻すことができない場合は、テーマ統一環境設定が設定されていない初期設定の状態に戻す。
【００４２】
また、上記構成の携帯電話機１０において、主制御部１２０は、上記ベースファイルの使用期限（例えば、上記ＯＭＡのＤＲＭ（Digital Rights Management）仕様で規定されているＳ／Ｄ：Separate Deliveryの期限）が切れている場合は、その使用期限が切れたベースファイルの適用を解除するように制御してもよい。ここで、同一コンテンツＩＤの更新ファイルが適用されている場合は、そのベースになっているベースファイルの適用を解除するとともに、同一コンテンツＩＤの更新ファイルの適用も解除する。一方、上記更新ファイルの使用期限のみが切れた場合は、その使用期限が切れた更新ファイルについてのみ適用を解除する。なお、上記ベースファイルや更新ファイルの使用期限のチェック処理は、表示部１２５の画面に待ち受け初期画面を表示するタイミング等の携帯電話機の特定動作タイミングに自動実行する。このチェック処理は、利用者が指示したタイミングで実行してもよい。
【００４３】
図８は、上記構成の携帯電話機１０においてテーマ統一環境設定のベースファイルを削除するときの処理の一例を示すフローチャートである。ユーザが携帯電話機１０を操作することにより、ベースファイルの削除を指示する（Ｓ１）と、まず、制御部１２０は、上記アーカイブファイル記憶領域１２１ａに対し、削除対象のベースファイルとコンテンツＩＤが同じ更新ファイルを検索する（Ｓ２）。アーカイブファイル記憶領域がメモリーカードなどの外部記憶媒体に設定されている場合には、その外部記憶媒体についても検索する。同一コンテンツＩＤの更新ファイルが存在する場合（Ｓ３でＹｅｓ）は、その同一コンテンツＩＤの更新ファイルについても削除することをユーザに確認するための画像を表示する（Ｓ４）。ユーザが更新ファイルの削除を望まない場合（Ｓ４での）は、そのまま終了する。一方、ユーザが更新ファイルの削除を望む場合（Ｓ４でＹｅｓ）は、まず、上記同一コンテンツＩＤの更新ファイルをアーカイブファイル記憶領域１２１ａから削除する（Ｓ５）。その後、削除対象のベースファイルをアーカイブファイル記憶領域１２１ａから削除する(Ｓ６)。
【００４４】
上記ステップ３で同一コンテンツＩＤの更新ファイルが存在しない場合（Ｓ３でＮｏ）は、更新ファイルの削除処理を行わずに、削除対象のベースファイルをアーカイブファイル記憶領域１２１ａから削除する(Ｓ６)。
【００４５】
なお、テーマ統一環境設定の更新ファイルを削除する場合は、まず、削除対象の更新ファイルが適用中であるか否かを判断し、適用中の場合はその適用を解除しておく。そして、上記アーカイブファイル記憶領域１２１ａから削除対象の更新ファイルのみを削除し、同一コンテンツＩＤのベースファイルについては削除しない。
【００４６】
以上、本実施形態によれば、携帯電話機に適用中のテーマ統一環境設定のベースファイルに含まれる要素データの更新処理が指示されたとき、ネットワークを介してアクセスしたＷＥＢサーバ３２から、更新対象の要素データを含む更新ファイルが受信されて内部メモリ１２１のアーカイブファイル記憶領域１２１ａに保存される。このＷＥＢサーバ３２から受信した更新ファイルには、当初のベースファイルから得られた複数の要素データからなる設定データ群に設定される更新対象のすべての要素データが含まれる。この更新ファイルから得られる更新対象の要素データを、上記要素データ記憶領域１２１ｂに格納されている設定データ群に設定することにより、テーマ統一環境設定の複数の表示要素の表示に用いる要素データを容易に更新できる。しかも、上記更新ファイルから得られる更新対象の要素データは、上記設定データ群に一括して設定するものであるため、各更新対象の要素データの一部が上記設定データ群に設定されることによって画面の表示要素の一部又は全体が所定のテーマから外れて統一性を損ってしまうことがない。従って、画面を構成する複数の表示要素の一部又は全体について所定のテーマによる統一性を維持しつつ、その複数の表示要素の表示に用いる要素データを容易に更新できる。以上のように、本実施形態によれば、画面を構成する複数の表示要素の一部又は全体について所定のテーマによる統一性を維持しつつ、その複数の表示要素の表示に用いる要素データを容易に更新できる。
【００４７】
以上、本発明の好ましい実施形態を説明したが、本発明の範囲又は趣旨から逸脱することなく、特許請求の範囲に記載された技術的事項の範囲内において、開示した実施形態に種々の変更を加えることができる。
【００４８】
例えば、本発明は、携帯電話機に限定することなく、メール送受信可能な様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機などが挙げられる。
【００４９】
また、上記移動体通信端末における制御及び処理は、その移動通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【図面の簡単な説明】
【００５０】
【図１】本発明の実施形態に係る携帯電話機を用いた通話、ＷＥＢアクセス及びメール送受信を行うことができる通信システムの一例を示す概略構成図。
【図２】データベース（ＤＢ）に格納されているファイルの一例を示す説明図。
【図３】携帯電話機の概略構成の一例を示すブロック図。
【図４】同携帯電話機の外観構成の一例を示す正面図。
【図５】同携帯電話機の内部メモリに設定された記憶領域の一例を示す説明図。
【図６】テーマ統一環境設定を新規設定するときの処理の一例を示すフローチャート。
【図７】テーマ統一環境設定を更新するときの処理の一例を示すフローチャート。
【図８】テーマ統一環境設定のベースファイルを削除するときの処理の一例を示すフローチャート。
【符号の説明】
【００５１】
１０  携帯電話機
２０  携帯電話通信網
３０  インターネット
２１，３１  メールサーバ
２２，３２  ＷＥＢサーバ
１２０  主制御部
１２１  内部メモリ
１２１ａ  アーカイブファイル記憶領域
１２１ｂ  要素データ記憶領域
１２４  表示制御部
１２５  表示部
１２６  キー操作部
１２７  時計部
【図１】
2008205665.tif 000003
【図２】
2008205665.tif 000004
【図３】
2008205665.tif 000005
【図４】
2008205665.tif 000006
【図５】
2008205665.tif 000007
【図６】
2008205665.tif 000008
【図７】
2008205665.tif 000009
【図８】
2008205665.tif 000010